(57)【特許請求の範囲】
【請求項１】
記憶媒体（１，５，１０）、とりわけ光学的メモリディスクに記憶されたデータ、とりわけオーディオデータおよび／またはビデオデータの、演奏装置（１５）における再生方法において、
第１の動作モードで、メモリ（２０）にファイルされたデータに対するスタート時間および／または演奏時間を、記憶媒体（１，５，１０）でのその記憶個所に依存して検出し、
スタート時間および／または演奏時間を、記憶媒体（１，５，１０）の識別データへ割り当てて記憶し、
第２の動作モードで記憶媒体を、演奏過程および再生過程のために選択し、
選択された記憶媒体（１，５，１０）を保管ラック（２５）から、該記憶媒体（１，５，１０）に記憶されたデータを読み出し装置により読み出すことのできる演奏位置へ、または前記選択された記憶媒体（１，５，１０）を演奏装置（１５）または保管ラック（２５）から取り出すことのできる取り出し位置へもたらす間の時間に、メモリ（２０）にファイルされているデータの少なくとも一部を演奏および再生する、
ことを特徴とする再生方法。
【請求項２】
第１の動作モードでは、記憶媒体（１，５，１０）の演奏中に少なくとも１つのデータ群を選択し、
少なくとも１つのデータ群をメモリ（２０）にファイルする、請求項１記載の方法。
【請求項３】
少なくとも１つのデータ群を操作ユニット（３０）によって、記憶媒体（１，５，１０）上の任意の記憶個所で選択する、請求項２記載の方法。
【請求項４】
少なくとも１つのデータ群を、記憶媒体（１，５，１０）上の任意の記憶個所で選択する、請求項２または３記載の方法。
【請求項５】
記憶個所を、記憶媒体（１，５，１０）の以前に演奏されたデータ群の再生頻度に依存して設定し、
これにより当該設定された記憶個所の少なくとも１つのデータ群は最大の生成頻度を有するか、または最大の再生頻度を有する記憶媒体（１，５，１０）の記憶区間に所属する、請求項４記載の方法。
【請求項６】
第１の動作モードでメモリ（２０）にファイルされたデータ群の数を次のように選択する、すなわちメモリ（２０）にファイルされた記憶媒体（１，５，１０）のすべてのデータ群が遅くとも一度演奏された後では、第２の動作モードで選択された記憶媒体（１，５，１０）が保管ラック（２５）から演奏位置または取り出し位置に戻されているように選択する、請求項１から５までのいずれか１項記載の方法。
【請求項７】
データを圧縮して、および／または低減されたサンプリングレートにより、および／または低減されたデータ幅によりメモリ（２０）にファイルする、請求項１から６までのいずれか１項記載の方法。
【請求項８】
メモリ（２０）にファイルされた記憶媒体（１，５，１０）のデータを、該記憶媒体（１，５，１０）を演奏装置（１５）および／または保管ラック（２５）から取り出す際に消去し、
記憶媒体（１，５，１０）を演奏装置（１５）および／または保管ラック（２５）に再挿入する際に、記憶された識別データに基づいて所属の記憶されたスタート時間および／または演奏時間を検出し、
第１の動作モードが調整される際、スタート時間および／または演奏時間に基づいて、所属のデータを有する記憶個所を記憶媒体（１，５，１０）上で検出し、
所属のデータを読み出し、メモリ（２０）にファイルする、請求項１から７までのいずれか１項記載の方法。
【請求項９】
記憶媒体（１，５，１０）を第２の動作モードで、演奏位置に到達した後、次のような記憶個所の始めから読み出し再生する、
すなわち、記憶媒体（１，５，１０）が演奏位置に到達する前の一番最後に、そのデータがメモリ（２０）から読み出され、再生された記憶個所に直接続き記憶個所の始めから読み出し、再生する、請求項１から８までのいずれか１項記載の方法。
【請求項１０】
記憶媒体（１，５，１０）、とりわけ光学的メモリディスクに記憶されたデータ、とりわけオーディオデータおよび／またはビデオデータの、演奏装置（１５）における再生方法において、
第１の動作モードで、前記記憶媒体（１，５，１０）の演奏中に選択された少なくとも１つあのデータ群のデータを、記憶媒体（１，５，１０）の演奏過程中および再生過程中に不揮発性メモリ（２０）にファイルし、
第２の動作モードで記憶媒体を、演奏過程および再生過程のために選択し、
選択された記憶媒体（１，５，１０）を保管ラック（２５）から、演奏装置（１５）または保管ラック（２５）から取り出すことのできる取り出し位置へもたらす間の時間に、前記不揮発性メモリ（２０）にファイルされているデータの少なくとも一部を演奏および再生する、
ことを特徴とする再生方法。
【発明の詳細な説明】
【０００１】
従来の技術
本発明は、独立請求項の上位概念による、記憶媒体に記憶されたデータの再生方法から出発する。
【０００２】
Blaupunktkatalog," Sound und Fahrvergnuegen per. Mobile Kommunikation von Blaupunkt. Programm '96/'97" から、例えばコンパクトディスクチェンジャＣＤＣ−Ｆ０５が公知である。ここでは１つのコンパクトディスクに記憶されたデジタルオーディオデータを再生装置で再生することができる。
【０００３】
発明の利点
これに対して独立請求項の構成を有する本発明の方法は、第１の動作モードではデータが記憶媒体の再生過程中に有利には不揮発性メモリにファイルされ、第２の動作モードでは記憶媒体がとりわけ演奏および再生過程のために選択され、選択された記憶媒体が保管ラックから演奏位置（この演奏位置において記憶媒体に記憶されたデータが読み出し装置により読み取り可能となる）へ、または取り出し位置（この取り出し位置において、選択された記憶媒体は再生機器または保管ラックから取り出し可能である）へもたらされる時間の間に、メモリにファイルされたデータの少なくとも一部が演奏および再生されるという利点を有する。このようにして選択された記憶媒体が演奏位置または取り出し位置に完全にロードされるまでの待機時間を省略することができ、ユーザはロード過程中に再生されたデータに基づいて、自分が他の記憶媒体を演奏および再生のために、ないしは取り出しのために選択したいか否かを決定できる。従って記憶媒体を保管ラックから選択するための操作過程がユーザに対して促進される。選択された記憶媒体のオーディオデータが不揮発性メモリに記憶されている場合には、例えば選択された記憶媒体の名前を表示装置に表示することも不要である。むしろユーザは単独でオーディオデータの再生に基づき、自分が他の記憶媒体を選択したいか否かを決定できる。このことはとりわけ、本発明の方法を車両に適用する場合に有利である。なぜならば、ユーザは記憶媒体を選択するのに視野を道路交通から転じる必要がなく、従って自分の注意を削がれることが内からである。
【０００４】
従属請求項に記載された手段によって、独立請求項に記載された方法の有利な改善および発展形態が可能である。
【０００５】
特に有利には少なくとも１つのデータ群を、第１の動作モードにおいて操作ユニットにより記憶媒体上の任意の記憶個所に記憶するために選択する。このようにしてユーザは自分で、どの個所を記憶媒体の選択の際に第２の動作モードにおいて自分の決定探索のために演奏すべきかを決定できる。従ってメモリにおける相応のデータ群の演奏は最適にユーザの必要性に適合される。
【０００６】
さらに有利には、少なくとも１つのデータ群を第１の動作モードにおける記憶のために記憶媒体上の所定の記憶個所で選択する。このようにして、第１の動作モードにおけるデータ群の記憶のための操作過程が自動化され、これによりユーザに対する操作の煩わしさが格段に低減される。このことはとりわけ本発明の方法を自動車に適用する場合に有利であり、ユーザの注意力は僅かしか道路交通からそらされない。
【０００７】
特に有利には、記憶個所は、以前に演奏された記憶媒体のデータ群の再生頻度に依存して設定される。これにより所定の記憶個所の少なくとも１つのデータ群が最大の再生頻度を有するか、または最大の再生頻度を有する記憶媒体の記憶部分に属することになる。このようにしてデータ群を第１の動作モードで自動演奏する際に、ユーザの必要性に最適に適合することができる。このことは、再生された頻度の最も高い記憶媒体の記憶部分に対して代表的データ群を第１の動作モードでメモリにファイルすることにより行われる。これにより、このデータ群を第２の動作モードで再生する際にもユーザはこのデータ群に基づいて、選択された記憶媒体をできるだけ確実に識別することも保証される。
【０００８】
さらなる利点は、第１の動作モードでメモリにファイルされたデータ群の数を次のように選択することにより得られる。すなわち、メモリにファイルされた記憶媒体のデータ群のすべてを遅くとも一度だけ演奏した後では、この第２の動作モードで選択された記憶媒体が保管ラックから演奏位置へ、または取り出し位置へもたらされているように選択するのである。このようにして、記憶媒体の保管ラックから演奏位置または取り出し位置へのロード過程がユーザによって知覚される。なぜなら、ロード過程中ずっと、記憶媒体のデータ群がメモリから再生されることが保証されるからである。これによりユーザに対する操作快適性が向上する。
【０００９】
特に有利には、記憶媒体を第２の動作モードにおいて演奏位置に到達後、次のような記憶個所の最初から読み出し再生する。すなわちそのデータが、記憶媒体が演奏位置に到達する前に最後にメモリから読み出され再生された記憶個所に直接続く記憶個所の最初から読み出し再生する。このようにして、メモリの読み出しにより第２の動作モードで開始された演奏過程を、演奏位置の到達後に記憶媒体により、間隙や中断なしで継続することができる。これにより記憶媒体を保管ラックから演奏位置へロードする過程がユーザに対して完全に気付かれなくなる。記憶媒体のオーディオデータを演奏する場合の操作快適性および聴く楽しみは、記憶媒体を保管ラックから演奏位置へロードする過程でも格段に向上される。
【００１０】
さらなる利点は、データを圧縮して、および／または低減されたサンプリングレートおよび／または低減されたデータ幅でメモリにファイルすると得られる。このようにしてメモリスペースを節約し、メモリコストを相応に緩和することができる。
【００１１】
さらなる利点は、第１の動作モードで、メモリにファイルすべきデータに対するスタート時間および／または演奏時間を、記憶媒体上のその記憶個所に依存して検出し、スタート時間および／または演奏時間を記憶媒体の識別データに配属して記憶すると有利である。スタート時間および／または演奏時間の記憶は、記憶媒体のデータ群の記憶より僅かなメモリスペースしか必要としない。ここでメモリにファイルすべきデータ群はスタート時間および演奏時間によって一義的に識別される。従って例えば記憶媒体を演奏装置ないし保管ラックから取り出す際に、データ群をメモリから消去し、メモリスペースを節約することができる。このときこのデータ群に対するスタート時間および／または演奏時間はメモリに留まり、これにより記憶媒体を演奏装置ないし保管ラックへ後で再び導入する際に、相応のデータ群を識別し、場合により第１の動作モードで再びメモリにファイルすることができる。これにより、その数がメモリにあるメモリスペースを大きく上回るほどの多数の記憶媒体に対して、必要な際にメモリにファイルすべきデータ群を識別するための情報を長期間記憶することができる。
【００１２】
図面
本発明の実施例が図面に示されており、以下詳細に説明する。
【００１３】
図１は、本発明の実施例のブロック回路図、
図２は、演奏装置を制御するための機能に対するフローチャートである。
【００１４】
実施例の説明
図１に示された演奏装置は、例えばコンパクトディスクチェンジャとして構成することができる、。演奏装置１５は、第１の保管スペース３５、第２の保管スペース４０および第３の保管スペース４５を備える保管ラック２５を有する。図１の実施例によれば、第１の保管スペース３５には第１の記憶媒体１，第２の保管スペース４０には第２の記憶媒体５，および第３の保管スペース４５には第３の記憶媒体１０が格納されている。記憶媒体１，５，１０は例えばコンパクトディスク形態の光学的メモリディスク（ＣＤ−ＲＯＭ）、デジタルビデオディスク（ＤＶＤ）等とすることができる。しかし記憶媒体１，５，１０は磁気的記憶媒体、例えば磁気メモリディスクとすることもできる。記憶媒体１，５，１０にはデジタルオーディオおよび／またはビデオデータおよび／またはその他のデータを記憶することができる。記憶媒体１，５，１０がコンパクトディスクとして構成されている場合には、記憶媒体１，５，１０にデジタルオーディオデータを記憶することができる。記憶媒体１，５，１０がデジタルビデオディスクとして構成されている場合には、記憶媒体１，５，１０にデジタルビデオデータを記憶することができる。しかし例えば磁気形式で記憶されたオーディオおよび／またはビデオデータおよび／またはその他のデータを備える記憶媒体１，５，１０を保管ラック２５での保管のために設けることもできる。
【００１５】
さらにアナログオーディオおよび／またはビデオデータおよび／またはどの他のデータを有する記憶媒体１，５，１０を設けることもできる。
【００１６】
保管スペース３５，４０，４５の１つは演奏装置１５の演奏ユニット５０と接続されており、図１の実施例では、第１の保管スペース３５が演奏ユニット５０と接続されている。その所属の保管スペース３５，４０，４５がちょうど演奏ユニット５０と接続された記憶媒体１，５，１０を演奏ユニット５０へ、演奏ユニット５０に設けられ、図１には図示されていない読み出し装置による読み出しのためにロードし、また演奏ユニット５０から再び所属の保管スペース３５，４０，４５へ戻すことができる。演奏ユニット５０と保管スペース３５，４０，４５との接続は、操作ユニット３０のキーボード７５により制御部９０を介して制御することができる。従って演奏ユニット５０と操作ユニット３０とは制御部９０と接続されている。ここで演奏ユニット５０は保管ラック２５と共に演奏装置１５の外部に、例えばコンパクトディスクチェンジャの形態で設けることができる。ここで制御部９０および操作ユニットは例えばコンパクトディスクチェンジャと接続されたカーラジオに、制御および操作コンソールとして配置することができる。演奏ユニット５０はさらにメモリ２０と接続されており、かつ制御部９０により制御可能なスイッチ８５を介して再生ユニット８０と接続可能である。再生ユニット８０はメモリ２０と同様に制御部９０に接続されている。ここで再生ユニット８０は１つまたは複数のスピーカ９５を、場合によりデジタル／アナログ変換されたオーディオデータの音響的再生のために有する。および／またはさらに１つの表示装置９９を、場合によりデジタル／アナログ変換されたビデオデータおよび／またはその他のデータを表示するために有する。メモリ２０もスイッチ８５を介して再生ユニット８０と接続可能である。第１の記憶媒体１と、第１の保管スペース３５と演奏ユニット５０との相応の接続が選択されると、図１では演奏ユニット５０が第１の動作モードでメモリ２０のメモリスペース５５にアクセスする。この第１のメモリスペース５５は第２の動作モードでスイッチ８５を介して再生ユニット８０と接続可能である。相応にして、メモリ２０では、第２の保管スペース４０に第２のメモリスペース６０が、第３の保管スペース４５に第３のメモリスペース６５が配属されている。メモリ２０はさらに、保管ラック２５に格納された記憶媒体１，５，１０についての固有情報、および場合により保管ラック２５ないし演奏ユニット５０に格納されていない、さらなる記憶媒体についての固有情報を記憶するための記憶領域７０を有する。
【００１７】
第１の動作モードでは、演奏ユニット５０に格納された記憶媒体１，５，１０のデータが少なくとも１つのデータ群の形態で、メモリ２０の相応に配属されたメモリスペース５５，６０，６５にファイルされる。図１では、第１の保管スペース３５が演奏ユニット５０と接続されている。従って、第１の記憶媒体１が第１の動作モードで第１の保管スペース３５から演奏ユニット５９０へ搬送され、演奏ユニット５０内で演奏位置にもたらされ、この演奏位置で第１の記憶媒体１に記憶されたデータが読み出し装置により読み出し可能であることを意味する。相応のことが第２の保管スペース４０が演奏ユニット５０と第２の記憶媒体５に対して接続されている場合、ないし第３の保管スペース４５が演奏ユニット５０と第３の記憶媒体１０に対して接続されている場合に当てはまる。しかしこの実施例は以下、第１の記憶媒体１の例で説明する。
【００１８】
第１の動作モードは、ユーザによりキーボード７５で調整されるか、または制御部９０により自動的に例えば演奏装置１５の動作休止時に調整され得る。第１の動作モードの調整後、１つまたは複数の記憶媒体１，５，１０を、キーボード７５におけるユーザの選択により個別に演奏ユニット５０へロードすることができる。このことは制御部９０によって、自動的にすべての記憶媒体１，５，１０を順次それぞれ個別に演奏ユニット５０へロードすることにより行われる。次の本発明の方法を第１の動作モードに対して、演奏ユニット５９０に第１の記憶媒体１がロードされていることに基づいて説明する。
【００１９】
第１の記憶媒体１が演奏ユニット５０で演奏位置へもたらされた後、第１の記憶媒体１のデータは読み出し装置により読み出され、第１のメモリスペース５５にファイルされる。ここでメモリ２０はそのメモリスペース５５，６０，６５と共に不揮発性メモリとして構成されている。第１のメモリスペース５５にファイルされたデータは、第１の記憶媒体１の演奏中に選択された少なくとも１つのデータ群とすることができ、このデータ群がこの場合は第１のメモリスペース５５にファイルされる。ここで少なくとも１つのデータ群の選択に対しては２つの手段があり、それぞれ２つの手段のうちの１つだけを設けることもできる。
【００２０】
第１の手段では、少なくとも１つのデータ群が操作ユニット３０のキーボード７５によって、第１の記憶媒体１の任意の記憶個所においてユーザにより選択される。この手段はマニュアル選択と称することもできる。ここで第１の記憶媒体１は演奏ユニット５０で演奏される。ユーザにより特に特徴的であると感じられた第１の記憶媒体１の個所が演奏される場合、ユーザはこれを制御部９０に、この個所の演奏中にキーボード７５の相応の操作によって通知することができる。これに基づき制御部９０は、選択された記憶個所に存在するデータを第１のメモリスペース５５に記憶させる。ここで選択された少なくとも１つのデータ群が記憶区間の中央、例えば第１の記憶媒体１の音楽曲の最中であれば、制御部９０はこの記憶区間の開始部にある少なくとも１つのデータ群、例えば音楽曲の始めを第１のメモリスペース５５に記憶させる。
【００２１】
第２の手段は自動選択である。ここでは第１のメモリスペース５５に記憶すべき、第１の記憶媒体１の少なくとも１つのデータ群が第１の記憶媒体１にある所定の記憶個所で選択される。この設定は例えば、第１の記憶媒体１の第１の記憶区間の開始部にある記憶個所、例えばコンパクトディスクの場合は最初の音楽曲の始めとすることができる。次にこのようにして設定された記憶個所の少なくともデータ群を読み出し、第１のメモリスペース５５にファイルする。この記憶個所の設定はとりわけ、記憶媒体が新たに演奏装置１５ないし保管ラック２５に導入され、演奏ユニット５０によりまだ演奏されていない場合に適する。
【００２２】
しかし第１の記憶媒体１が、すでに以前に演奏ユニット５０によって演奏された記憶媒体である場合、記憶個所を第１の記憶媒体１の以前に演奏されたデータ群の再生頻度に依存して設定することもできる。この場合は、設定された記憶個所の少なくとも１つのデータ群が最大の再生頻度を有するか、または最大の再生頻度を有する第１の記憶媒体の１の記憶区間に所属する。データ群または個々の記憶媒体１，５，１０の記憶区間の再生頻度、ないしはそれを検出するために必要な再生時点はここでは記憶領域７０に、所属の記憶媒体１，５，１０に割り当てて記憶することができる。比較的に過去である再生時点は、再生頻度の検出に対して比較的に軽く評価される。もっとも頻繁に再生されたデータ群の少なくとも１つを第１のメモリスペース５５に第１の記憶媒体１に対して記憶することができる。またはそこに、第１の記憶媒体１のもっとも頻繁に再生された記憶区間の開始部にある少なくとも１つのデータ群、例えばコンパクトディスクのもっとも頻繁に再生された音楽曲の曲開始部をファイルすることができる。
【００２３】
メモリスペースを節約するために、データをメモリ２０に圧縮して、および／または低減されたサンプリング速度および／または低減されたデータ幅でファイルすることができる。
【００２４】
第１の動作モードで、スタート時間および／または演奏時間を、メモリ２９にファイルすべき記憶媒体１，５，１０のデータに対して相応する記憶媒体１，５，１０でのその記憶個所に依存して検出することができる。スタート時間によって、メモリにファイルすべき相応の記憶媒体１，５，１０の第１のデータ群に対する記憶個所が一義的に識別される。演奏時間によって、メモリ２０にファイルすべき第１のデータ群に続く、メモリ２０にファイルすべきデータ群の数が一義的に識別される。しかしここで演奏時間の検出は、１つ以上のデータ群をメモリ２０に相応の記憶媒体１，５，１０に対してファイルすべき場合にだけ必要である。スタート時間および／または演奏時間は、相応の記憶媒体１，５，１０に割り当てて記憶領域７０に記憶することができる。相応の記憶媒体１，５，１０へのこの割り当ては識別データによって行うことができる。この識別データは各記憶媒体１，５，１０に対して記憶領域７０にファイルされており、相応の記憶媒体１，５，１０の特徴的データ、例えば総演奏時間および記憶区間の数、例えばコンパクトディスク上での音楽曲の数を含む。
【００２５】
第２の動作モードでは、ユーザがキーボード７５によって演奏し再生する記憶媒体１，５，１０の１つを選択する。図１によれば、ここでユーザは例えば第１の保管スペース３５にある第１の記憶媒体１を選択する。第１の記憶媒体１がすでに演奏ユニット５０に存在する場合には、第２の動作モードは再び遮断され、第１の記憶媒体１を直ちに演奏ユニット５０の読み出し装置により読み出すことができ、従って演奏することができる。すなわち、読み出し装置により読み出された第１の記憶媒体１のデータは再生装置８０により再生することができる。この場合、制御部９０はスイッチ８５を、演奏ユニット５０が再生ユニット８０と接続されるように切り換え、これにより再生すべきデータが演奏ユニット５０から再生ユニット８０にも伝送される。
【００２６】
しかし第１の記憶媒体１がまだ保管ラック２５にある場合には、第２の動作モードはアクティブのままに留まり、選択された第１の記憶媒体１が第１の保管スペース３５から演奏ユニット５０にある演奏位置へもたらされる間の時間に、第１のメモリスペース５５にファイルされたデータの少なくとも一部を演奏し、再生ユニット８０によって再生する。このために制御部９０はスイッチ８５を第１のメモリスペース５５が再生ユニット８０と接続されるように切り換える。これにより第１のメモリスペース５５から再生すべきデータを再生ユニット８０にさらに送出することができる。データが圧縮されて、および／または低減されたサンプリングレートによりおよび／または低減されたデータ幅によりメモリ２０にファイルされた場合に対しては、データの再生ユニット８０での再生の前に相応の解凍またはデータの処理が必要であり、これによりこのデータを音響的および／または視覚的な欠陥なしで再生ユニット８０により再生することができる。
【００２７】
第１の動作モードでメモリ２０のそれぞれのメモリスペース５５，６０，６５にファイルされたデータ群の数を次のように選択することができる。すなわちメモリ２０のそれぞれのメモリスペース５５，６０，６５にファイルされた所属の記憶媒体１，５，１０のすべてのデータ群が遅くとも一度演奏された後では、この第２の動作モードで選択された記憶媒体１，５，１０が保管ラック２５から演奏ユニット５０の演奏位置へもたらされているように選択するのである。図１に基づき説明した実施例によれば、第２の動作モードにおいて第１の記憶媒体１は演奏および再生のために選択されている。ここで第１の動作モードでは第１の記憶媒体１のデータ群が少なくとも次のような量で第１のメモリスペース５５にファイルされている。すなわち、第１のメモリスペース５５にファイルされた第１の記憶媒体１のすべてのデータ群を遅くとも一度演奏した後では、第１の記憶媒体１が第２の動作モードで第１の保管スペース３５から演奏ユニット５０の演奏位置へもたらされているような量でファイルされている。従って第１の記憶媒体１の演奏ユニット５０へのロード過程はユーザにより知覚されない。
【００２８】
さらに図１に例として説明した第１の記憶媒体１は第２の動作モードで、演奏ユニット５０内での演奏位置に到達した後、次のような記憶個所で始めから読み出しおよび再生される。すなわちそのデータが、第１の記憶媒体１が演奏位置への到達する前に最後に第１のメモリスペース５から読み出され再生された記憶個所に直接続く記憶個所で始めから読み出しおよび再生される。ここで演奏ユニット５０の読み出し装置は、第１の記憶媒体２に対して記憶領域７０に記憶されたスタート時間と、第１の記憶媒体１を第１の保管スペースから演奏ユニット５０の演奏位置へ搬送するためのロード過程に必要な時間を使用することによって、この合計時間により得られた第１の記憶媒体１の記憶個所にフォーカスすることができる。ただしここでの前提は、前記搬送に対して検出された時間が、第１のメモリスペース５５にファイルされたデータ群に対する演奏時間と同期していることである。しかしここでデータ群を第１のメモリスペース５５から読み出した後に、制御部９０はスイッチ８５を次のように制御しなければならない。すなわちスイッチが、演奏ユニット５０の読み出し装置により読み出された、第１の記憶媒体１のデータの再生前であって、スイッチが以前に第１のメモリスペース５５を再生ユニット８０と接続した後の適時に、演奏ユニット５０を再生ユニット８０と接続するように制御しなければならない。これは、第１の記憶媒体１を保管ラック２５から演奏ユニット５０へ搬送する間に相応のデータを第１のメモリスペース５５から読み出し、再生ユニット８０へさらに伝送できるようにするためである。
【００２９】
このようにして間隙や中断なしで、第１のメモリスペース５５からのデータの演奏過程を演奏ユニット５０にある第１の記憶媒体の演奏へ切り換えることができる。これによりユーザの聴く楽しみないし見る楽しみが損なわれず、第１の記憶媒体１が演奏位置に到達する前にすでに開始することができる。
【００３０】
さらに、メモリ２０のメモリスペース５５，６０，６５の１つにファイルされた所属の記憶媒体１，５，１０のデータを、この記憶媒体１，５，１０を演奏装置１５または保管ラック２５から取り出す際に消去することができる。この記憶媒体１，５，１０を演奏装置１５または保管ラック２５へ再び挿入する際に制御部９０によって、記憶領域７０に記憶された識別データに基づき再び挿入された記憶媒体１，５，１０を識別するために、同様に記憶領域７０にファイルされた所属の記憶されたスタート時間および／または演奏時間が検出される。第１の動作モードが調整される際には、スタート時間および／または演奏時間に基づいて、所属のデータを有する記憶個所が記憶媒体１，５，１０上で検出される。この記憶媒体１，５，１０が演奏ユニット５０の演奏位置にある場合には、この所属のデータを読み出し、メモリ２０の所属のメモリスペース５５，６０，６５にファイルする。これにより、保管スペース３５，４０，４５の各々に対して、ちょうど１つのメモリスペース５５，６０，６５を設ければ十分であり、それでもなお記憶領域７０に記憶されたスタート時間および／または演奏時間によってメモリを節約して、ちょうど演奏装置１５ないしは保管ラック２５に存在しない記憶媒体のデータ群の識別子を記憶するのにも十分である。しかし演奏装置１５には保管スペース以上の数のメモリスペースを設けることもできる。これにより、演奏装置１５または保管ラック２５に格納されていない記憶媒体のデータ群も記憶することができ、従ってこのようなデータ群を識別するためにスタート時間および／演奏時間を記憶するようこの記憶媒体の再挿入の際に指示する必要がない。
【００３１】
付加的にまたは択一的に、ユーザのキーボード入力に応じて相応の記憶媒体１，５，１０、図１の前記実施例では第１の記憶媒体１を第２の動作モードにおいて、演奏ユニット５０の演奏位置へではなく、図１に図示しない演奏装置１５ないし保管ラック２５の出し入れスロットの取り出し位置へ搬送することもできる。この場合、相応の記憶媒体１，５，１０を取り出し位置へ搬送する過程の間、所属のメモリスペース５５，６０，６５にファイルされたデータ群は再生ユニット８０で再生される。このためにスイッチ８５は制御部９０によって相応のメモリスペース５５，６０，６５を再生ユニット８０と接続する。従ってユーザは相応の記憶媒体１，５，１０を取り出し位置へ搬送する間、メモリ２０から送出されたデータに基づいて、自分が相応する記憶媒体１，５，１０を本当に演奏装置１５ないしは保管ラック２５から取り出したいのか否かを決定できる。ここでもっとも有利には、キーボード７５での取り出しキーの操作によって制御部９０が順次すべての記憶媒体１，５，１０を保管ラック２５からそれぞれ個別に取り出し位置へ搬送し、ユーザがキーボード７５の取り出しキーないし別のキーの新たな操作によって、ちょうど取り出し位置にある記憶媒体を演奏装置１５ないしは保管ラック２５から取り出すまで例えば周期的にこの過程を自動的に繰り返すのである。ここで例えば、所属のメモリスペースに記憶されているすべてのデータ群を再生した後に取り出し位置から除去されなかった記憶媒体を再び保管ラック２５へ戻し搬送し、その間に、次に取り出し位置へ返送すべき記憶媒体に対するデータ群を所属のメモリスペースからすでに読み出し、再生ユニット８０で再生するのである。従ってユーザに対して、取り出し位置から保管ラック２５へ戻し搬送することによって生じる休止が再生の際に発生せず、従ってユーザは次に取り出し位置へ搬送すべき記憶媒体のデータ再生によってその取り出しについて決定することができる。もやは不要な記憶媒体を演奏装置１５ないし保管ラック２５から取り出すための選択過程がこれによりユーザに対して促進され、操作快適性が向上する。
【００３２】
しかしメモリからの中断のない再生に対する前提は、第１の動作モードでメモリ２０にファイルされたデータ群の数が各メモリスペース５５，６０，６５に対して次のように選択されることである。すなわちメモリ２０のそれぞれのメモリスペース５５，６０，６５にファイルされた、相応の記憶媒体１，５，１０のすべてのデータ群が遅くとも一度演奏された後には、この第２の動作モードで選択された記憶媒体１，５，１０が相応の保管スペース３５，４０，４５から取り出し位置へもたらされていることである。第１の動作モードでそれぞれのメモリスペース５５，６０，６５にファイルされたデータ群の数は有利には次のように選択すべきである。すなわち、記憶媒体が取り出されれずに戻し搬送される場合でも、次に取り出し位置へ搬送すべき記憶媒体に対して十分なデータ群が相応のメモリスペースに存在しているように選択すべきである。これによりこの戻し搬送の間に演奏が中断されたり、次の記憶媒体を演奏位置へ搬送する際にデータ群だけが演奏されたりすることが回避される。しかしメモリ２０にメモリスペースが不足している場合には、取り出されなかった記憶媒体を取り出し位置から保管ラックへ戻し搬送する間に、データ群をメモリ２０から再生ユニット８０へ伝送しないこともできる。しかし有利には、取り出されなかった記憶媒体を取り出し位置から保管ラック２５へ戻し搬送する時間も、次の記憶媒体を保管ラック２５から取り出し位置へ搬送するのに必要な時間も、次に取り出し位置へもたらすべき記憶媒体のデータ群をメモリ２０の所属のメモリスペースから演奏することによってカバーし、これにより演奏装置１５ないしは保管ラック２５でもはや必要のない記憶媒体の選択をユーザに対して簡素化し促進する。
【００３３】
本発明の方法を図２に基づき、制御部９０に対するフローチャートによって例として説明する。プログラム点１００で制御部９０は、キーボード７５にて第１の動作モードが調整されたか否かを検査する。第１の動作モードが調整された場合には、プログラム点１０５へ分岐し、それ以外の場合はプログラム点１４０へ分岐する。プログラム点１０５で制御部９０は、保管ラック２５に格納された記憶媒体１，５，１０のｑつまたは複数のデータ群を自動的に選択すべきか否かを検査する。すなわち、ユーザがキーボード７５で記憶媒体をデータ群の手動選択のために選択しなかったか否かを検査する。選択しなかった場合にはプログラム点１１０へ分岐し、それ以外の場合はプログラム点１３５へ分岐する。プログラム点１１０では保管ラック２５とも接続された制御部９０が、記憶媒体１，５，１０の１つを演奏ユニット５０の演奏位置へ搬送させ、記憶領域７０にファイルされたデータから、この記憶媒体のどのデータ群が最も高い頻度で以前に演奏ユニット５０により演奏され、再生ユニット８０で再生されたかを検出する。引き続きプログラム点１１５へ分岐する。プログラム点１１５で制御部９０は、演奏位置にロードされた記憶媒体の種々の記憶区間の複数のデータ群が同じ頻度で存在するか否かを検査する。同じ頻度で存在すれば、プログラム点１２０へ分岐し、それ以外の場合はプログラム点１３０へ分岐する。プログラム点１２０で制御部９０は、演奏位置に存在する記憶媒体の第１の記憶区間の開始部、例えばコンパクトディスク上の最初の音楽曲の開始部にある少なくとも１つのデータ群を記憶させる。ここでこの記憶は、演奏位置に存在する記憶媒体の保管スペースに配属されたメモリ２０のメモリスペース上で行われる。続いてプログラム点１２５へ分岐する。プログラム点１２５で制御部９０は、メモリ２０に前もって記憶されたデータ群のスタート時間および／または演奏時間を記憶させる。ここでこの演奏時間および／または演奏時間は記憶領域７０にファイルされ、識別データ、例えば演奏位置に存在する記憶媒体に対する総演奏時間および記憶区間の数に配属される。続いてプログラム点２３０へ分岐する。プログラム点２３０で制御部９０は、保管ラック２５または演奏ユニット５０に格納されたすべての記憶媒体に対して、データ群がメモリ２０の所属のメモリスペースに格納されたか否かを検査する。格納された場合にはプログラムを去り、それ以外の場合はプログラム点１１０へリターン分岐する。そして演奏位置に存在する記憶媒体は保管ラックに戻し搬送され、新たな記憶媒体が保管ラック２５から演奏位置へ搬送される。
【００３４】
プログラム点１３０で制御部９０は、演奏位置に存在する記憶媒体において以前にもっとも頻繁に再生された少なくとも１つのデータ群を所属のメモリスペースに記憶させるか、または演奏位置に存在する記憶媒体のもっとも頻繁に再生された記憶区間の開始部、例えばコンパクトディスクの以前にもっとも頻繁に再生された音楽曲の開始部にある少なくとも１つのデータ群を記憶させる。
【００３５】
プログラム点１３５で制御部９０は、演奏位置に存在する記憶媒体にあり、ユーザによりキーボードで手動設定された少なくとも１つのデータ群を所属のメモリスペースに記憶させるか、または演奏位置に存在する記憶媒体にあり、ユーザがキーボード７５により選択した記憶区間の開始部にある少なくとも１つのデータ群を所属のメモリスペースに記憶させる。
【００３６】
プログラム点１４０で制御部９０は、ユーザがキーボード７５で第２の動作モードを調整したか否かを検査する。第２の動作モードが調整された場合には、プログラム点１４５へ分岐し、それ以外の場合はプログラム点１８５へ分岐する。プログラム点１４５で制御部９０は自動的にまたはユーザによるキーボードでの相応の入力により、記憶媒体１，５，１０の１つを保管ラック２５で選択する。続いてプログラム分岐１５０へ分岐する。プログラム点１５０で制御部９０はスイッチ８５を、選択された記憶媒体に配属されたメモリ２０のメモリスペースを再生ユニット８０と接続するために切り換える。さらに制御部９０は、このメモリスペースに記憶された少なくとも１つのデータ群に、これがそこに記憶されている場合にはアクセスし、再生ユニット８０でこれを再生させる。続いてプログラム点２３５へ分岐する。プログラム点２３５で制御部９０は、ユーザがキーボード７５で取り出し要求を入力したか否かを検査する。入力していれば、プログラム点２４０へ分岐し、それ以外の場合はプログラム点１５５へ分岐する。プログラム点２４０で制御部９０はスイッチ８５に、メモリ２０のメモリスペース（制御部９０により自動的に選択されたか、またはユーザによりキーボード７５で選択された記憶媒体に配属されているメモリスペース）を再生ユニット８０と接続させる。さらに制御部９０は、メモリスペースに記憶されているデータを再生ユニット８０で再生させる。さらに制御部９０はプログラム点２４０で、選択された記憶媒体を取り出し位置へ搬送させる。続いてプログラム点２４５へ分岐する。プログラム点２４５で制御部９０は、例えば読み出すべきメモリスペースのデータ量に依存して設定された時間内に、ユーザがキーボード７５で、選択された記憶媒体の取り出し命令を入力したか否かを検査する。入力していれば、プログラム点１８５へ分岐し、ユーザは記憶媒体を取り出し位置から取り出すことができる。それ以外の場合はプログラム点２５０へ分岐する。プログラム点２５０では、所属のメモリスペースに記憶されたデータがさらに読み出され、記憶媒体が取り出し位置から保管ラック２５へ戻し搬送される。続いてプログラム点２５５へ分岐する。ここでメモリ２０の所属のメモリスペースにファイルされたデータ群の数は、記憶媒体を保管ラックと取り出し位置との間で搬送および戻し搬送するのに必要な時間に依存して選択するだけではなく、選択された記憶媒体が取り出し位置に到達した後、ユーザが取り出しについて決定することのできる所定の時間も考慮する。これにより相応のメモリスペースにファイルされた記憶媒体のデータ群がそれぞれ一度だけ再生ユニット８０で再生される。しかし所属のメモリスペースを周期的に読み出し、これにより再生ユニット８０での再生が繰り返されることと引き替えに、メモリ２０のメモリスペースを節約することができる。続いてプログラム点２５５へ分岐する。プログラム点２５５で制御部９０は、すべての記憶媒体がユーザに対し、取り出し位置での取り出し決定のために提供されたか否かを検査する。提供された場合にはプログラムを去り、それ以外の場合はプログラム点２４０へリターン分岐し、新たな記憶媒体を取り出し位置へ搬送する。
【００３７】
場合によりユーザに、記憶媒体を周期的に繰り返して取り出し位置での取り出しのために提供することができる。このことはユーザがキーボード７５での入力により記憶媒体を演奏装置１５ないし保管ラック２５から取り出すために選択する過程を中断するまで繰り返される。
【００３８】
プログラム点１５５で制御部９０はスイッチ９５を切り換え、選択された記憶媒体に配属されたメモリスペースを再生ユニット８０と接続し、再生ユニットにメモリスペースに記憶されたデータを再生させる。制御部９０はさらに選択された記憶媒体を保管ラック２５から演奏位置へ搬送させる。続いてプログラム点１６０へ分岐する。プログラム点１６０で制御部９０は、選択された記憶媒体が演奏位置に到達しているか否かを検査する。到達していればプログラム点１６５へ分岐し、それ以外の場合はプログラム点１８０へ分岐する。プログラム点１８０で制御部９０は待機ループを実行する。続いてプログラム点１６０へリターン分岐する。プログラム点１６５で制御部９０は、演奏位置に存在する記憶媒体上の次のような記憶個所を検出する。すなわち記憶媒体が演奏位置に到達する以前の最後にデータが所属のメモリスペースから読み出され、再生ユニット８０へさらに伝送された記憶個所に直接続く記憶個所を検出する。制御部９０はこれに基づいて演奏ユニット５０の読み出し装置に、この検出された記憶個所をフォーカシングさせる。続いてプログラム点１７０へ分岐する。プログラム点１７０で制御部９０はスイッチ８５を切り換え、演奏ユニット５０を再生ユニット８０と接続する。続いてプログラム点１７５へ分岐する。プログラム点１７５で制御部９０は、演奏位置に存在する記憶媒体のデータを検出された記憶個所の始めから読み出し、それを再生ユニット８０で再生させる。続いてプログラムを去る。
【００３９】
プログラム点１８５で制御部９０は、取り出し位置に存在する記憶媒体がユーザにより取り出されたか否かを検査する。取り出されていればプログラム点１９０へ分岐し、それ以外の場合はプログラム点１９５へ分岐する。プログラム点１９０で制御部９０は、取り出し位置からユーザにより取り出された記憶媒体に配属されていたメモリ２０のメモリスペースにあるデータを消去する。続いてプログラムを去る。
【００４０】
プログラム点１９５で制御部９０は、記憶媒体が演奏装置１５ないし保管ラック１５の出し入れスロットに挿入されたか否かを検査する。挿入された場合、プログラム点２００へ分岐し、それ以外の場合はプログラムを去る。
【００４１】
プログラム点２００で制御部９０は、挿入された新たな記憶媒体の識別を、記憶領域７０に記憶された識別データに基づいて行う。この識別データはこの記憶媒体の総演奏時間および記憶区間の数であり、例えばコンパクトディスクの総演奏時間および音楽曲の数である。続いてプログラム点２０５へ分岐する。プログラム点２０５で制御部９０は、新たに挿入された記憶媒体から検出された識別データと記憶領域７０にファイルされている識別データ（同様に以前に演奏装置１５ないし保管ラック２５に格納された記憶媒体の総演奏時間および記憶区間の数を含むことができる）との比較を行う。制御部９０がプログラム点２０５で、新たに挿入された記憶媒体の識別データとすでに記憶領域７０にファイルされた識別データとの一致を検出すると、プログラム点２１０へ分岐し、それ以外の場合はプログラム点１００へリターン分岐する。プログラム点２１０で制御部９０は、演奏装置１５が動作休止状態にあるか否かを検査する。動作休止状態にあれば、プログラム点２１５へ分岐し、それ以外の場合はプログラム点２２５へ分岐する。プログラム点２２５で制御部は待機ループを実行する。続いてプログラム点２１０へ分岐する。プログラム点２１５で制御部９０は、新たに挿入された記憶媒体を演奏位置へ搬送させる。続いてプログラム点２２０へ分岐する。プログラム点２２０で制御部９０は、演奏位置に存在する記憶媒体上の少なくとも１つのデータ群を検出し、この記憶媒体に対して記憶領域７０に記憶された情報に割り当てる。この情報とは、すでに以前の時点で設定または選択された、演奏位置にある記憶媒体のデータ群のスタート時間および／演奏時間についての情報である。次に少なくとも１つのデータ群が制御部９０によってメモリ２０のメモリスペースにファイルされる。このメモリスペースは、演奏位置にある記憶媒体に対して予約された保管スペースに割り当てられた目降りスペースである。続いてプログラムを去る。
【００４２】
本発明の方法はとりわけ、コンパクトディスクチェンジャとして構成された演奏装置１５に存在するコンパクトディスクとして構成された記憶媒体の特徴的デジタルオーディオデータを記憶するのに適する。これは特に、マガジンのない形式のチェンジャにおいてコンパクトディスクを取り出す場合に当てはまる。すなわち図１の保管ラック２５が演奏装置１５に組み込まれており、ただ１つの出し入れスロットが設けられている形式の演奏装置１５に適する。このようなコンパクトディスクチェンジャでは、１つのコンパクトディスクを取り出すために保管ラック２５のすべてのコンパクトディスクを一度に引く出すことは不可能である。この場合、コンパクトディスクを１つづつ、演奏装置１５の出し入れスロットを介して取り出さなければならない。
【図面の簡単な説明】
【図１】  図１は、本発明の実施例のブロック回路図。
【図２】  図２は、演奏装置を制御するための機能に対するフローチャートである。
【図１】
0004690622.tif 000002
【図２】
0004690622.tif 000003